(57)【要約】【課題】釣り等の妨げになりにくく、浮力体が使用中に破損しにくいフード及びフード付き衣服を提供する。【解決手段】衣服の襟部分に着脱可能に取り付けられるフード１であって、落水時に気体が送り込まれて膨張する浮力体１０が浮力体収納ポケット１１に収納されている。【選択図】      図１
2005008994.tif 000002
【特許請求の範囲】
【請求項１】
衣服の襟部分に着脱可能に取り付けられるフードであって、落水時に気体が送り込まれて膨張する浮力体を備えていることを特徴とするフード。
【請求項２】
請求項１記載のフードを備えたフード付き衣服。
【請求項３】
落水時に気体が送り込まれて膨張する浮力体をフードに備えていることを特徴とするフード付き衣服。
【発明の詳細な説明】
【０００１】
【発明の属する技術分野】
本発明は、レインコートや防寒用ウエア等のフード及び該フードを備えたフード付き衣服に関する。
【０００２】
【従来の技術】
従来の救命胴衣には、発泡材からなる浮力体を備えたものと、落水時に内部に気体が送り込まれることによって膨張して所定の浮力を発生する膨張式の袋状の浮力体を備えたもの（下記特許文献１参照）とがある。
【０００３】
【特許文献１】
特開２００２−３６２４８２号公報
【０００４】
【発明が解決しようとする課題】
しかしながら、前者にあっては常時着用者の胸部に厚い浮力体が存在するので釣りの妨げになりやすい。後者にあっては常時は気体が入っていないので偏平状態にあり前者に比して嵩が小さく邪魔になりにくいという利点があるが、袋状の浮力体が胸部に位置するので、フックを手元で操ることの多い釣りにおいてはそのフックによる突き刺し等の破損に配慮する必要がある。
【０００５】
それゆえに本発明は、上記従来の問題点に鑑みてなされ、釣り等の妨げになりにくく、浮力体が使用中に破損しにくいフード及びフード付き衣服を提供する。
【０００６】
【課題を解決するための手段】
本発明は、上記課題を解決すべくなされ、本発明に係るフードは、衣服の襟部分に着脱可能に取り付けられるフードであって、落水時に気体が送り込まれて膨張する浮力体を備えていることを特徴とする。
【０００７】
該構成のフードにあっては、落水時に膨張する浮力体を備えているので、該フードを着用することにより、従来のような胸部に浮力体が位置する救命胴衣が不要となる。また、常時は気体が入っていない偏平状態にあるので嵩張らず、しかも、フードに浮力体があるので釣り等の邪魔にはなりにくい。また、胸部に位置する場合に比してフードの浮力体は頭部に位置するのでフックによる破損の危険性も相対的に小さくなる。更に、落水時においてはフードの浮力体が膨張することで着用者の頭部に浮力が付与されることとなり、着用者の頭部が水面に浮上することとなって、呼吸を容易に確保できる。
【０００８】
また、本発明に係るフード付き衣服は、落水時に気体が送り込まれて膨張する浮力体をフードに備えていることを特徴とする。
【０００９】
【発明の実施の形態】
以下、本発明に係るフード及びフード付き衣服の一実施形態について図面を参酌しつつ説明する。
図１には、レインコートのフード１が示されており、図１に二点鎖線にて示すレインコート本体２（衣服本体、上衣本体）の襟部分に、フード１の裾部分が着脱可能に取り付けられる。尚、レインコート本体２との着脱は、ドット釦３により行うが、その他の手段でも無論よい。
【００１０】
該フード１は、レインコート本体２と同じ素材からなり、例えばナイロン地等の防水性のものからなる。そして、その前面には、顔出し用開口とも称される前面開口４が形成されており、該前面開口４を介して前方が視認可能である。
【００１１】
また、該前面開口４の下側には、着用者の口部周辺を前側から覆う口部カバー５が設けられている。該口部カバー５は、略水平方向の帯状に形成されている。詳細には、口部カバー５は、左右一対のカバー片６，７からなり、両カバー片６，７は互いに内外重ね合わせられるようにして連結されている。そして、その連結は面ファスナー８によりなされ、従って、両カバー片６，７の分離も自在であり、分離するとカバー片６，７は左右に開いて着用者の口部周辺は開放される。
【００１２】
図２は、両カバー片６，７を左右に開いた状態におけるフード１の背面図である。図２にも示されているように、かかるフード１には浮力体収納ポケット１１が設けられている。該浮力体収納ポケット１１は、フード１の外面に設けられた、いわゆる外ポケットの形式のものであって、フード１の裾部分に沿って略水平方向に周回するように帯状に延びており、その左右両端部１１ｃ，１１ｄはカバー片６，７の基端部近傍に位置している。そして、該浮力体収納ポケット１１は、その下端部１１ｂについてはフード１に縫着され、その上端部１１ａと左右両端部１１ｃ，１１ｄについては面ファスナー１２、１３によってフード１の外面に着脱可能に構成されている。
【００１３】
そして、該浮力体収納ポケット１１に浮力体１０が収納されている。該浮力体１０は、袋状であって、常時は空気（気体）が入っておらずに偏平状態にあり、落水時には内部に空気が入れられて膨張して所定の浮力を発生させる、いわゆる膨張式のものである。また、常時において浮力体１０は浮力体収納ポケット１１に折り畳まれた状態で収納されており、浮力体１０に空気が入れられると、浮力体収納ポケット１１の上端部１１ａ、左右両端部１１ｃ，１１ｄが開状態となってそこから浮力体１０が上方と前方に飛び出る構成である。
【００１４】
また、落水時に浮力体１０に空気を供給するための気体供給装置２０も浮力体収納ポケット１１内に設けられている。該気体供給装置２０は、加圧空気（加圧気体）が充填された交換可能なボンベ２１と、落水時に浮力体１０とボンベ２１とを連通させてボンベ２１の空気が浮力体１０に送り込まれるようにする作動部２２とを備えている。該作動部２２は、常時はボンベ２１と浮力体１０を遮断し、落水時には浸漬したことを検出して自動的にボンベ２１と浮力体１０とを連通させてボンベ２１内の空気が浮力体１０に送り込まれるようにする。尚、落水時に着用者が作動部２２を手動操作するための引き紐を設けてもよい。尚、気体供給装置２０は例えばフード１の後部に設けられる。
【００１５】
以上のように構成されたフード１は上述したようなドット釦３によってレインコート本体２に取り付けられて使用される。図１のように口部カバー５を閉状態にしていても、浮力体１０は偏平状態にあるので邪魔になりにくい。特に、従来の救命胴衣のように胸部に浮力体が位置していないので、着用者の体の動きが妨げられず、着用者は釣りに専念することができる。特に、レインコートの上に別途救命胴衣を着用する必要がないので、特に衣服の嵩が大きくなる冬場において便利であり、また釣行の際の荷物も少なくて済む。更に、フックを手元で操作しても近傍に浮力体１０がないのでそのフックによって浮力体１０を破損するという事故の発生が抑制される。しかも、常時は浮力体収納ポケット１１に浮力体１０が収納されているので、フック等による破損もより一層確実に防止され、折り畳み状態で収納されているのでコンパクトであって嵩張らず視界も妨げられない。
【００１６】
そして、万一の落水時には、作動部２２が自動的にあるいは手動により作動してボンベ２１を開き、ボンベ２１内の空気が浮力体１０に瞬間的に充填される。この空気により浮力体１０は偏平状態から瞬時に膨張すると共に図３のように浮力体収納ポケット１１から所定部分突出する。即ち、面ファスナー１２，１３が解除されて浮力体収納ポケット１１の上端部１１ａと左右両端部１１ｃ，１１ｄが共に開き、そこから浮力体１０が上方と前方とに膨出しながら突出する。浮力体１０が浮力体収納ポケット１１から上方に突出することにより、フード１の後方に浮力体１０が存在することとなる。また、浮力体１０が浮力体収納ポケット１１の左右両端部１１ｃ，１１ｄからそれぞれ前方に突出することにより、着用者の口部前方にも浮力体１０が位置することとなる。従って、着用者の頭部は浮上し、着用者は呼吸を確保することができる。特に、後頭部の後方と首部の周囲並びに口部の前方に浮力体１０が位置するので、着用者の頭部に浮力が前後方向に略均等に作用し、頭部の前後の傾斜が抑制されて呼吸の確保が容易である。
【００１７】
また、このフード１はレインコート本体２に着脱可能であるので、救命具が不要な場合にはフード１を取り外せばよい。また、浮力体１０が不要である場合には、浮力体１０を備えていない他のフード１と交換することもでき、状況に応じて任意にフード１を選択して使用することができる。
尚、浮力体１０が浮力体収納ポケット１１に折り畳まれて収納された構成について説明したが、浮力体収納ポケット１１を設けない構成としてもよい。
【００１８】
また、気体供給装置２０をフード１に設けた構成について説明したがレインコート本体２側に設ける構成としてもよい。例えば、浮力体１０を延長してその一端部に気体供給装置２０を取り付け、該気体供給装置２０をレインコート本体２のポケットに収納させて使用する構成としてもよい。また、フード１が着脱可能な構成ではなく、レインコート本体２と不離一体に構成されていてもよく、この場合においては特に気体供給装置２０をレインコート本体２側に固定的に設けることが可能である。
【００１９】
尚、上記実施形態では、レインコート及び該レインコート用のフード１を例に説明したが、他の上衣や衣服とそれらに使用されるフード１とすることも無論可能であり、種々の衣服に適用可能である。
【００２０】
【発明の効果】
以上のように、膨張式の浮力体が設けられたフードを着用することにより、救命胴衣を着用する必要がなくなるうえに浮力体が頭部に位置しているので釣り等の邪魔になりにくく、しかも落水時には確実に頭部を浮上させることができる。
【図面の簡単な説明】
【図１】本発明の一実施形態におけるフードを示す斜視図。
【図２】同フードの背面図。
【図３】同フードの使用状態を示す斜視図。
【符号の説明】
１…フード、２…レインコート本体（衣服本体、上衣本体）、３…ドット釦、４…前面開口、５…口部カバー、６，７…カバー片、１０…浮力体、１１…浮力体収納ポケット、２０…気体供給装置、２１…ボンベ、２２…作動部
【図１】
2005008994.tif 000003
【図２】
2005008994.tif 000004
【図３】
2005008994.tif 000005